(57)【要約】      （修正有）【課題】外乱光からの映り込み現象の抑制と、表示装置の視認性の維持の両立を図る。【解決手段】表示部（ＬＣＤ／ＴＰユニット）１４を有する表示装置１０であって、前記表示部１４における外乱光の映り込み現象が発生するか否かを判別する映り込み判別手段１１０ａ、表示部１４の光透過率を変更する（瞬間）調光ガラス１４４と、調光ガラス１４４の光透過率を変更制御するメイン制御部１１と、を有する。メイン制御部１１は、映り込み判別手段１１０ａが外乱光の映り込み現象が発生すると判別したとき、調光ガラス１４４の光透過率を変更して映り込み現象を抑制するノングレア状態にし、外乱光の映り込み現象が発生しないと判別したとき、グレア状態にする。【選択図】図４
2017092720.tif 000002
【特許請求の範囲】
【請求項１】
表示部を有する表示装置であって、
前記表示部における外乱光の映り込み現象が発生するか否かを判別する映り込み判別手段と、
前記表示部の映り込み現象を抑制するノングレア状態又は映り込み現象を抑制しないグレア状態に遷移させる状態遷移手段と、
前記状態遷移手段の状態遷移のための制御を行う制御手段と、
を有し、
前記制御手段は、前記映り込み判別手段が外乱光の映り込み現象が発生すると判別したとき、前記状態遷移手段の状態をノングレア状態に設定し、かつ外乱光の映り込み現象が発生しないと判別したとき、グレア状態に設定することを特徴とする表示装置。
【請求項２】
請求項１に記載された表示装置において、
周囲の光量を測定する照度センサを有し、
前記映り込み判別手段は、測定した前記光量に基づき前記表示部において外乱光の映り込み現象が発生するか否かを判別することを特徴とする表示装置。
【請求項３】
請求項２に記載された表示装置において、
前記映り込み判別手段は、前記照度センサが測定した光量が、予め定めた第１の閾値に達しないとき前記外乱光の映り込み現象が発生しないと判別し、予め定めた第２の閾値に達したとき前記外乱光の映り込み現象が発生すると判別することを特徴とする表示装置。
【請求項４】
請求項３に記載された表示装置において、
撮影装置を有し、
前記映り込み判別手段は、前記測定した光量が第１の閾値に達しかつ第２の閾値に達しないとき、前記撮影装置で撮影されたユーザの顔が撮影画像の所定領域に在るか否かに基づき、外乱光の映り込み現象が発生するか否かを判別することを特徴とする表示装置
【請求項５】
請求項３又は４に記載された表示装置において、
前記映り込み判別手段は、前記照度センサが前記光量を所定時間継続して測定したことを条件に、前記第１、第２の閾値に達したか否かを判別することを特徴とする表示装置。
【請求項６】
請求項３に記載された表示装置において、
撮影装置と、
前記撮影装置で撮影されたユーザの画像データからユーザの視線方向を検出する視線方向検出手段と、前記視線方向を検出した視線と前記表示部の画面が交わる角度を計算する角度計算手段と、を備え、
前記映り込み判別手段は、前記測定した光量が第１の閾値に達しかつ第２の閾値に達しないとき、前記角度計算手段が計算した前記角度に基づき、外乱光の映り込み現象が発生するか否かを判別することを特徴とする表示装置。
【請求項７】
請求項６に記載された表示装置において、
前記撮影装置で撮影されたユーザの顔を個人ごとに弁別する顔弁別手段と、
前記角度計算手段が算出した各個人ごとの前記角度と、前記グレア及びノングレア状態の設定結果を記憶する記憶手段と、を備え、
前記制御手段は、前記顔弁別手段による弁別結果に基づき、前記記憶手段に記憶された当該弁別されたユーザの前記設定結果を用いてグレア及びノングレア状態の設定を行うことを特徴とする表示装置。
【請求項８】
請求項１ないし７のいずれかに記載された表示装置において、
前記状態遷移手段は、瞬間調光パネルであり、
前記制御手段は、前記瞬間調光パネルに印加する電圧をオン又はオフ制御することにより、前記瞬間調光パネルにおける光の透過率を変更して、グレア状態又はノングレア状態の設定を行うことを特徴とする表示装置。
【請求項９】
請求項８に記載された表示装置において、
前記瞬間調光パネルに印加する電圧を調整する手段を備え、
前記制御手段は、前記電圧をオンすることにより、前記瞬間調光パネルにおける光の透過率を変更してノングレア状態の設定を行う場合において、変更した電圧に応じて、前記瞬間調光パネルにおける光の透過率を変更することを特徴とする表示装置。
【請求項１０】
表示部を有する表示装置における表示制御方法であって、
前記表示部における外乱光の映り込み現象が発生するか否かを判別する映り込み判別工程と、
状態遷移手段により、前記表示部の映り込み現象を抑制するノングレア状態又は映り込み現象を抑制しないグレア状態に遷移させる状態遷移工程と、
前記状態遷移手段の状態遷移のための制御を行う制御工程と、
を有し、
前記制御工程では、前記映り込み判別工程において外乱光の映り込み現象が発生すると判別したとき、前記状態遷移手段の状態をノングレア状態に設定し、かつ外乱光の映り込み現象が発生しないと判別したとき、グレア状態に設定することを特徴とする表示装置における表示制御方法。
【発明の詳細な説明】
【技術分野】
【０００１】
本発明は、表示装置、より詳しくは映り込み防止機能を有する表示装置、及び表示装置における表示制御方法に関する。
【背景技術】
【０００２】
屋内で例えばプリンタを使用する際、プリンタ操作用の表示装置の表示部（以下ディスプレイともいう）上に周囲の蛍光灯や窓からの太陽光などの外乱光の反射が見えてしまう現象がある。この現象を「映り込み（写り込み）」という。映り込み現象は、映像を見難くするだけではなく、プリンタ操作用の表示装置のディスプレイの映像と反射した像の間で目がピント合わせを繰り返すため、目の疲労原因になる。
この映り込み現象は、とくに、ディスプレイの画面表面（以下、ディスプレイ表面という）を平滑処理することで黒色のコントラストを高め、静止画や映像をきれいに見せるグレア処理による影響が強い。即ち、グレア処理によって、ディスプレイの映像はきれいに見えるが、外乱光が反射しやすくなり、映り込み現象が顕著に発生する。
【０００３】
この映り込み現象防止のため、ディスプレイ表面に凹凸をつけ、外乱光をディスプレイ表面で散乱させて、映り込み現象を低減させるノングレア（アンチグレア）処理が知られている。
また、電圧のオン／オフによって光の透過率を調整できる瞬間調光ガラスというデバイスがあり、ノングレア処理と同様に映り込み現象抑制に用いられることがある。
さらに、映り込み現象を低減させる手段として、ディスプレイ表面とユーザの視線との角度を改善するために、ディスプレイの設置角度を変更させる装置・制御手段も知られている。
【０００４】
しかし、従来の映り込み現象の改善に使用されているノングレア処理、即ち、ディスプレイ表面やその保護シートに対して凹凸処理を行ったプリンタ操作用の表示装置では、映り込み現象発生時には効果があるが、非発生時にはディスプレイからの光も散乱してしまう。そのため、画面が白っぽく見えて視認性を低下させるという問題がある。また、ノングレア処理では、黒色が明るくなりコントラストが低くなることで、静止画や映像の発色が地味になってしまう。つまり、ノングレア処理では、ディスプレイの視認性や色味はグレア処理に比べて落ちるという問題がある。
【０００５】
また、瞬間調光ガラスの場合は、電源オン時にパネル（瞬間調光ガラスのガラス部分）の光の透過率が最大になり視認性が高まり、電源オフ時には光の透過率が低いので映り込み現象を抑制する。しかし、電源オフ時には、画面が白っぽくなってしまい、この場合も視認性が低下するという問題がある。
さらに、ディスプレイ表面とユーザ視線との角度を改善させるためにディスプレイの設置角度を変更させる装置・制御手段は、窓際のような外乱光の光量が多い場所では、ディスプレイの設置角度を変更しても映り込みの低減効果は低く、設置角度を動かすことで映り込み現象をより顕著にしてしまうという問題がある。
【０００６】
一例として特許文献１（特開２００９−２３７４９２号公報）には、車載のカーナビゲーション装置（以下、カーナビと略称する）において、ユーザの頭の位置を、背もたれの位置や座席の位置・高さより検知し、カーナビの取り付け角度を自動で調整するようにした自動車用表示装置が開示されている。この自動車用表示装置では、ユーザとカーナビのディスプレイ表面との角度を映り込み現象が発生し難い角度にして、透明ディスプレイの高い可視光透過率を保ちつつ外乱光の映り込み現象を抑制している。
しかし、この自動車用表示装置では、窓際のような外乱光の光量が多い場所での使用時の映り込みを抑制するという課題は解消できていない。
【発明の概要】
【発明が解決しようとする課題】
【０００７】
本発明は、上記従来の問題に鑑みてなされたものであって、その目的は、表示装置において、外乱光からの映り込み現象の抑制と、表示装置の視認性の維持（視認性を高い状態に維持すること、以下同じ）の両立を図ることである。
【課題を解決するための手段】
【０００８】
本発明は、表示部を有する表示装置であって、前記表示部における外乱光の映り込み現象が発生するか否かを判別する映り込み判別手段と、前記表示部の映り込み現象を抑制するノングレア状態又は映り込み現象を抑制しないグレア状態に遷移させる状態遷移手段と、前記状態遷移手段の状態遷移のための制御を行う制御手段と、を有し、前記制御手段は、前記映り込み判別手段が外乱光の映り込み現象が発生すると判別したとき、前記状態遷移手段の状態をノングレア状態に設定し、かつ外乱光の映り込み現象が発生しないと判別したとき、グレア状態に設定することを特徴とする表示装置である。
【発明の効果】
【０００９】
本発明によれば、表示装置において、外乱光からの映り込み現象の抑制と、表示装置の視認性の維持の両立を図ることができる。
【図面の簡単な説明】
【００１０】
【図１】プリンタの表示装置の表示部のユーザからの見え方、つまり、図１Ａは、調光ガラスがノングレア状態、図１Ｂは調光ガラスがグレア状態を示す図である。
【図２】プリンタの表示装置の表示部の模式図であり、図２Ａは、調光ガラスがノングレア状態のときの視認性を示し、図２Ｂは調光ガラスがグレア状態のときの視認性を示す図である。
【図３】表示部の液晶パネルに取り付けられた調光ガラスの状態（ノングレア、グレア状態）ごとの映り込み現象の違いを説明した模式図である。
【図４】本発明の実施形態に係るプリンタの表示装置の構成を概略的に示した図である。
【図５】照度センサで検知される周囲環境における光量に基づき、映り込み現象の発生し易さ及び発生し難さの判別を行うために設定した閾値を示すものであって、縦軸に光量、横軸に時間をとって閾値を表したグラフである。
【図６】プリンタの表示装置に設置されたカメラによる、ユーザの顔検知と映り込み現象の発生具合について説明する図であり、図６Ａは、カメラの撮影範囲内にユーザの顔がない場合、図６Ｂは、カメラの撮影範囲内にユーザの顔が有る場合をそれぞれ示す図である。
【図７】調光ガラスの制御について説明する図である。
【図８】カメラと照度センサを用いて行う調光ガラスの遷移について示す図である。
【発明を実施するための形態】
【００１１】
本発明の表示装置は、概略的に説明すれば、外乱光からの映り込み現象の抑制と、視認性の維持の両立をはかるものであり、映り込み現象が発生するとき、しないときを判別し、判別後に状態遷移手段（実施形態では、瞬間調光ガラス）の視認性を高めるグレア状態と、映り込み現象を抑制するノングレア状態へ動的に変更・制御し、設定することができる。
【００１２】
次に、本発明の実施形態について説明するが、その前に、瞬間調光ガラス（以下、調光ガラスという）の機能について、それを液晶パネルとバックライトから成る液晶表示装置に用いた場合を例に採って説明する。
図１は、調光ガラス１４４の状態（ノングレア、グレア状態）ごとの、例えばプリンタの操作用の表示装置１０の表示部（ＬＣＤ（液晶表示装置）／ＴＰ（タッチパネル））１４のユーザからの見え方、つまり、図１Ａは、調光ガラス１４４がノングレア状態、図１Ｂは調光ガラス１４４がグレア状態を示す図である。
即ち、調光ガラス１４４をグレア状態にすると、図１Ｂに示すように表示部１４の色の発色がよいが、ノングレア状態にすると、図１Ａに示すように表示部１４の発色のメリハリがなく全体的に白っぽく見えてしまう。
【００１３】
図２は、プリンタの表示装置１０の表示部１４の模式図であり、調光ガラス１４４の状態（ノングレア、グレア）ごとのプリンタの表示装置１０の表示部１４の視認性の違いを示す。即ち、図２Ａは、調光ガラス１４４がノングレア状態のときの視認性を示し、図２Ｂは調光ガラス１４４がグレア状態のときの視認性を示す図である。
即ち、調光ガラス１４４がノングレア状態のときは、表示部１４のバックライト１４０ｂの光は、図２Ａに示すように調光ガラス１４４の層で散乱してしまい、元々の光から変化するので視認性が落ちる。一方、グレア状態のときは、表示部１４のバックライト１４０ｂの光は、図２Ｂに示すように調光ガラス１４４の層で散乱しないので、視認性は高いままに維持される。
【００１４】
図３は、表示部１４の液晶パネル１４０ａに取り付けられた調光ガラス１４４の状態（ノングレア、グレア状態）ごとの映り込み現象の違いを説明した模式図である。
調光ガラス１４４がノングレア状態のときは、図３Ａのように外乱光は調光ガラス１４４の層で一部が散乱することで、ユーザの目には映り込み現象が抑制される効果がある。一方、グレア状態のときは、外乱光は、図３Ｂに示すように調光ガラス１４４の層で散乱せずに反射するので、ユーザの目には映り込み現象が顕著に現れる。
【００１５】
本発明は、調光ガラス１４４のグレア状態とノングレア状態のそれぞれの長所を生かすために、映り込み現象が発生する（ここでは、発生しやすいことも含む）ときと、発生しない（発生し難いことも含む）ときの判別を行い、２つの状態のいずれかに遷移させることで視認性維持と映り込み現象抑制効果を両立させる。
【００１６】
以下、本発明の表示装置をその１実施形態に係るプリンタの表示装置１０を例に採って説明する。
図４は、本発明の実施形態に係るプリンタの表示装置１０の構成を概略的に示した図である。
この表示装置１０は、内部にメイン制御部１１、照度センサ１２、撮影装置（カメラ）１３、表示部１４、ＲＡＭ１１６等を備えている。ここで、表示部（ＬＣＤ／ＴＰユニット）１４は、調光ガラス１４４、ＬＣＤ（液晶ディスプレイ）１４０と透明なタッチパネル（ＴＰ）１４２を重畳したオペレーションパネルユニットを備える。
【００１７】
メイン制御部１１は、本発明の制御手段に対応し、最低限、ＣＰＵ（Central Processing Unit；中央演算処理装置）１１０と、画像処理部１１２を有する。
画像処理部１１２は、カメラ１３と通信し、カメラ１３から出力される撮影画像データ（以下画像データという）において顔の識別（又は判別）を行い、ＣＰＵ１１０との通信を行なう機能を有する。顔の識別は、例えば、肌の色や、目、鼻、口を検出することにより人の顔を識別する一般的な顔検出手法を用いることができる。
【００１８】
映り込み判別手段１１０ａは、表示装置１０の表示部１４に映り込みが発生するか否かを判別する。
画像処理部１１２は、顔情報記録媒体１１４と情報の照合を行なう機能を有する。また、以下で説明する機能及び処理について、映り込み判別手段１１０ａや画像処理部１１２で行う上記判定や処理以外の判定や処理は、メイン制御部１１のＣＰＵ１１０がプログラムに基づき実行する。
【００１９】
顔情報記録媒体１１４は、カメラ１３からの顔情報を記録する機能を有し、顔情報の照合のための顔情報を提供する。
ＲＡＭ１１６は、センサ情報や一時的な情報記録を行なう機能を有する。
表示部（ＬＣＤ／ＴＰユニット）１４は、以下の機能を有する。即ち、ＬＣＤ１４０は、メイン制御部１１の制御下において表示部１４に画像データを表示出力する機能を有する。また、ＴＰ１４２は、メイン制御部１１と表示部１４の表示パネル上の位置情報の通信を行う機能を有する。
調光ガラス１４４は、電圧の調整で光の透過率を変更する機能を有する。
【００２０】
次に、表示部１４における映り込み現象の発生し易さ及び発生し難さの判別について説明する。まず、照度センサ１２で検知される光量との関係について説明する。
図５は、照度センサ１２で検知される周囲環境における光量に基づき、映り込み現象の発生し易さ及び発生し難さの判別を行うために設定した閾値を示すものであって、縦軸に光量、横軸に時間をとって閾値を表したグラフである。
即ち、照度センサ１２からの出力光量が一定値未満の場合（一定値に達していない場合）、プリンタの表示装置１０が設置されている環境の光量は少ないので、映り込み判別手段１１０ａは、ユーザがプリンタを使用する際にプリンタの表示装置１０の画面の映り込みは発生しないと判別する。このときの光量の閾値を閾値α（第１の閾値ともいう）とする。
【００２１】
光量が一定以上の場合（一定値に達している場合）、プリンタの表示装置１０が設置されている環境の光量が多いので、映り込み判別手段１１０ａは、ユーザがプリンタを使用する際にプリンタの表示装置１０の画面の映り込みが常に発生すると判別する。このときの光量の閾値を閾値β（第２の閾値ともいう）とする。
ここで、照度センサ１２が閾値αから閾値βの間（閾値α以上かつ閾値β未満の間）は、映り込み判別手段１１０ａは、映り込み現象の発生の可能性がある環境下にあると判別する。なお、閾値による映り込み現象の抑制手段については後述する。
なお、閾値α、βについては、照度センサ１２からの光量値の瞬時の変化（瞬時変化）やノイズの影響を小さくするために、照度センサ１２の数値データはＲＡＭ１１６内に一定期間記録しておき、照度センサ１２の測定値（出力光量）が閾値を所定期間超えたことを条件に閾値を超えた、また閾値を所定期間下回ったことを条件に下回ったと判別する機能を有してもよい。これにより、照度センサ１２による状態遷移の精度を向上することができる。
【００２２】
次に、照度センサ１２の出力光量が閾値αから閾値βの間にある場合において、映り込みが発生するか否かを判定するための手法について説明する。
ここでは、カメラ１３による撮影画像を用いて、ユーザの顔と表示部１４との位置関係から映り込みが発生するか否かの判別を行うことについて説明する。
図６は、プリンタの表示装置１０に設置されたカメラ１３による、ユーザの顔検知と映り込み現象の発生具合について説明する図であり、図６Ａは、カメラ１３の撮影範囲内にユーザの顔がない場合、図６Ｂは、カメラ１３の撮影範囲内にユーザの顔が有る場合をそれぞれ示す図である。
【００２３】
本実施形態では、図６Ａに示すように、カメラ１３の撮影範囲内にユーザの顔Ｆがない場合は、映り込み判別手段１１０ａは、ユーザの視線とプリンタの表示装置１０の画面との角度の関係から、映り込み現象が発生すると判別する。
この判別の際に、画像処理部１１２は、カメラ１３からの画像データに基づき公知の顔識別（又は判別）アプリケーション（プログラム）を実行し、カメラ１３の撮影範囲内に顔があるかどうかの判別を行なう。
【００２４】
一方、図６Ｂに示すように、カメラ１３の撮影範囲内にユーザの顔Ｆがある場合は、ユーザの視線とプリンタの表示装置１０の画面との角度の関係から、映り込み判別手段１１０ａは、映り込み現象が発生しないと判別する。なお、具体的には、カメラ１３は、例えばプリンタの表示装置１０より１ｍ先において、幅０．４〜０．５ｍ、高さ０．４〜０．５ｍというカメラ１３の撮影角約４０〜５０度の範囲であることを想定している。
人が集中して認識できる視野領域である中心視野は、約８度程度であるので、ユーザが表示装置１０の画面全体を認識する場合、カメラ１３の撮影範囲４０〜５０度以内であれば認識に十分な範囲であり、映り込み現象も発生しないと判別する。
【００２５】
なお、光量が閾値α以上閾値β未満のとき、電圧印加量を変更して調光ガラスの光の透過率、即ち調光ガラスの状態遷移を段階的に調整できるようにすることができる。これにより、ユーザの顔Ｆに基づく判別時の映り込み現象抑制効果が向上する。
また、表示装置１０にはカメラ１３で撮影した顔を弁別（個々人の顔を区別して識別）し、個々人の特徴を記録する機能を有してもよい。この機能により、顔情報を個人データとして登録する機能を有することもできる。
【００２６】
メイン制御部１１（映り込み判別手段１１０ａ）は、以上で説明した顔識別による判別手法に加え又は代えて、カメラ１３の撮影範囲を拡大し、公知の手段を画像データから用いて顔Ｆの視線を検出する視線方向検出手段と、ユーザの視線と表示装置１０の表示部１４の画面（パネル）との角度を計算する角度計算手段とを備え、その計算結果に基づき映り込み現象が「発生する又は発生しない」の判別を行なう機能を有してもよい。視線方向検出手段及び角度計算手段は、いずれもメイン制御部１１のＣＰＵ１１０にプログラムを読み取らせることにより実現する機能実現手段である。
【００２７】
次に、以上のようにして表示部１４における映り込みの発生の有無の判定後に行う調光ガラスの制御について説明する。
図７は、調光ガラスの制御について説明する図である。
調光ガラス１４４は、液晶パネル１４０ａと同じ原理で動作する、即ち、図中のスイッチＳを操作して調光ガラス１４４へ電源Ｂの電圧供給をオン又はオフすることで、光の透過率を変更する。
本実施形態では、電源Ｂの電圧を調整（又は変更）する手段を備え、映り込み現象が発生有りと判別したときに、調光ガラス１４４に印加する電圧を調整し、光の透過率を調整することで映り込み現象の抑制を行なう。
【００２８】
即ち、映り込み現象が「発生有り」と判別すると、調光ガラス１４４への電圧をオフし、光の透過率を最低にする。これにより、調光ガラス１４４は若干白っぽくなり、外乱光をプリンタの表示装置１０の画面表面で散乱させることで映り込み現象を抑制することができる。
映り込み現象が「発生しない」と判別すると、調光ガラス１４４への電圧をオンし、光の透過率を最大にする。これにより、ＬＣＤ１４０からの描画データの光は表示装置１０の表示画面上で散乱することがないため視認性が維持される。
【００２９】
なお、調光ガラス１４４は、このように電圧のオン、オフによって光の透過率を高い（最大）、又は低い（最低）状態に制御できるが、印加する電圧値によって光の透過率を最大から最低の間でカスタマイズする機能を有してもよい。顔弁別機能により個々人の顔Ｆの特徴を記録する機能と合わせて、自分の好みの光の透過率を設定して記録しておき、自分が表示部１４を見るときに記録した光の透過率に自動設定する機能を有してもよい。これにより、ユーザごとの視認性の差異を調整することができる。
このように、個人ごとの表示部１４の光の透過率の設定を記録することでユーザの使い勝手を向上することができる。
【００３０】
図８は、カメラ１３と照度センサ１２を用いて行う調光ガラス１４４の遷移について示す図である。
ここで、カメラ画像による顔検知機能と、照度センサ１２による光量の閾値での調光ガラス１４４の光の透過率制御及び遷移方法について説明する。
即ち、図５において、照度センサ１２の検知光量が閾値β以上のときは、映り込み現象が発生するので、調光ガラス１４４への電圧をオフにし、光の透過率を最低にすることで外乱光による映り込み現象を抑制する、即ちノングレア状態にする。
閾値α未満のときは、映り込み現象は発生しないので、調光ガラス１４４への電圧をオンにして、光の透過率を最大にすることでＬＣＤ１４０からの光の透過率をよくすることで視認性を高くする、即ちグレア状態にする。
【００３１】
照度センサ１２の検知光量において、閾値β未満、閾値α以上の場合は、カメラ１３による顔Ｆ検知に基づき調光ガラス１４４の状態を遷移させる。即ち、カメラ１３の撮影範囲にユーザの顔Ｆを識別したときは、図６Ｂに示すように映り込み現象は発生しないと判断し、視認性を（高い状態に）維持するために調光ガラス１４４の電圧をオンにして、グレア状態にする。
一方、カメラ１３の撮影範囲にユーザの顔Ｆを識別できなかったときは、映り込み現象が発生すると判断し、映り込み現象を抑制するために調光ガラス１４４の電圧をオフにして、ノングレア状態にする。
【００３２】
なお、照度センサ１２の光量が、閾値β未満、閾値α以上の場合に、カメラ１３の撮影範囲においてユーザの顔Ｆを識別したときの調光ガラス１４４におけるグレア又はノングレア状態への遷移において、電圧の印加量を調整することで適切な透過率に変更する機能を有してもよい。また、以上で説明した（瞬間）調光ガラスは、（瞬間）調光パネル（又はフィルム）であってもよく、これらを総称するときは調光パネルという。
【符号の説明】
【００３３】
１０・・・表示装置、１１・・・メイン制御部、１１０・・・ＣＰＵ、１１２・・・画像処理部、１１４・・・顔情報記録媒体、１２・・・照度センサ、１３・・・カメラ、１４・・・表示部（ＬＣＤ／ＴＰ）、１４０・・・ＬＣＤ、１４２・・・ＴＰ、１４４・・・（瞬間）調光ガラス。
【先行技術文献】
【特許文献】
【００３４】
【特許文献１】特開２００９−２３７４９２号公報
【図１】
2017092720.tif 000003
【図２】
2017092720.tif 000004
【図３】
2017092720.tif 000005
【図４】
2017092720.tif 000006
【図５】
2017092720.tif 000007
【図６】
2017092720.tif 000008
【図７】
2017092720.tif 000009
【図８】
2017092720.tif 000010